(57)【要約】【課題】  縫製対象物に形成された開口部の一方側布片部分に鳩目穴かがり縫目を縫製する場合の作業性を改善でき、縫製作業の簡単化を図ることができるようにすること。【解決手段】  左右１対の布押えレバー２４，２５の先端部に夫々回動自在に枢着された布押え２７，２８を有し、この布押え２７，２８により送り台１５上に押えられた下側抜き片部分Ｗｃに縫針とルーパーとで鳩目穴かがり縫目ＤＮを縫製する鳩目穴かがりミシンにおいて、下側抜き片部分Ｗｃに形成された左ピスポケットＰの開口部Ｗａの下側抜き片部分Ｗｃに鳩目穴かがり縫目ＤＮを縫製するに際して、開口部Ｗａの上側布片部分Ｗｂが下側布片部分Ｗｃの縫目形成領域ＨＥに接近しないように規制する左右１対の布片規制部材５０，５２を、布押え２７，２８に夫々設けた。【選択図】  図８
2005118244.tif 000002
【特許請求の範囲】
【請求項１】
布押えにより送り台上に押えられた縫製対象物に縫針とルーパーとで鳩目穴かがり縫目を縫製する鳩目穴かがりミシンにおいて、
前記縫製対象物に形成された開口部の一方側布片部分に鳩目穴かがり縫目を縫製するに際して、開口部の他方側布片部分が前記送り台上に押えられた一方側布片部分の縫目形成領域に接近しないように規制する布片規制部材を設けたことを特徴とする鳩目穴かがりミシン。
【請求項２】
１対の前記布片規制部材が、左右１対の布押えに夫々着脱可能に設けられたことを特徴とする請求項１に記載の鳩目穴かがりミシン。
【請求項３】
前記左右１対の布片規制部材の間に、前記送り台の移動に伴って縫針の通過を許容する隙間が設けられていることを特徴とする請求項２に記載の鳩目穴かがりミシン。
【請求項４】
前記布片規制部材の後端部の枢支部が、前記布押えを布押えレバーの先端部に枢着する枢支軸に布押えと一体回動するように取付けられたことを特徴とする請求項１〜３の何れかに記載の鳩目穴かがりミシン。
【請求項５】
前記布片規制部材は、枢支部よりも前側において前記他方側布片部分を上下両側から規制する上側規制板部及び下側規制板部と、他方側布片部分の後端を位置規制する後端規制部を有することを特徴とする請求項４に記載の鳩目穴かがりミシン。
【請求項６】
前記布片規制部材は１つの金属板から一体的に形成され、前記上側規制板部は下側規制板部よりも前記縫針側に設けられていることを特徴とする請求項５に記載の鳩目穴かがりミシン。
【請求項７】
前記下側規制板部の前端部は、上側規制板の前端よりも前方に所定長さ分突出していることを特徴とする請求項６に記載の鳩目穴かがりミシン。
【請求項８】
布押えにより送り台上に押えられた縫製対象物に縫針とルーパーとで鳩目穴かがり縫目を縫製する鳩目穴かがりミシンに設けられる布片規制具であって、
前記縫製対象物に形成された開口部の一方側布片部分に鳩目穴かがり縫目を縫製するに際して、開口部の他方側布片部分が前記送り台上に押えられた一方側布片部分の縫目形成領域に接近しないように規制することを特徴とする鳩目穴かがりミシンの布片規制具。
【発明の詳細な説明】
【技術分野】
【０００１】
本発明は、鳩目穴かがりミシンに関し、特に縫製対象物に形成されたポケット等の開口部の一方側布片部分に鳩目穴かがり縫目を縫製する場合に、開口部の他方側布片部分の縫い込みや挟み込みを防止するようにしたものに関する。
【背景技術】
【０００２】
従来、ルーパーを有する鳩目穴かがりミシンにおいては、前後左右方向に移動可能な送り台と、この送り台に揺動可能に枢支された左右１対の布押えレバー及びこの先端部に夫々設けられた布押えと、二重環縫いの為のルーパー及び針棒等が設けられるとともに、針棒の後側に鳩目穴を穿孔する為のメスと、このメスと協働で鳩目穴を穿孔するハンマーを固定したアーム状のハンマー本体部等が設けられている（例えば、特許文献１）。
【０００３】
鳩目穴かがりミシンは、一般にこのように構成されているので、鳩目穴かがり縫目を縫製する場合には、先ず、送り台が縫製位置に移動した状態で、鳩目穴かがり縫目を縫製しようとするズボンの後身頃等の縫製対象物を送り台上に載置し、左右１対の布押えで縫製対象物の縫製部位を押圧保持しておき、縫製開始スイッチをＯＮ操作すると、予め選択しておいた鳩目穴かがり縫目の縫製データに基づいて、送り台が移動駆動されるとともに、ルーパーと針棒とがミシンモータで同期駆動され、二重環縫いにより鳩目穴かがり縫目を縫製できるようになっている。
【０００４】
ところで、ズボンの後身頃生地に左ピスポケットを形成し、その左ピスポケットの開口部の下側の布片部分に鳩目穴かがり縫目を縫製するような場合には、オペレータは先ず、その下側布片部分（ポケットに手を入れた際に開口部に対して外側に相当する布片部分）の内側を上向きにし、しかもその開口端部側を後方向きにした状態で、開口部を大きく広げて、開口部よりも上側の鳩目穴かがり縫目を縫製しない上側布片部分（ポケットに手を入れた際に開口部に対して人体側に相当する布片部分）を手前に引っ張りながら、下側布片部分だけを両布押えの下側に載置してから布押えで押圧保持させる。ここで、ピスポケットは、ヒップポケット（HIP POCKET) のことです。
【０００５】
この場合、両布押えで上側布片部分を挟み込まないように、オペレータが手で上側布片部分をできるだけ手前に引っ張るようにし、鳩目穴かがり縫目の縫製が開始されると、上側布片部分を縫い込まないように、上側布片部分を十分に手前に引っ張るようにしている。更に、鳩目穴かがり縫目の縫製が終了し、鳩目穴の穿孔に際して送り台が後方に移動する場合には、縫針が上側布片部分に引っ掛からないように、しかも上側布片部分がハンマーに接触しないように、上側布片部分を可能な限り、オペレータが手で手前に引っ張るようにしている。
【０００６】
【特許文献１】特開平９−２９４８８４号公報  （第４〜５頁、図１〜図３）
【発明の開示】
【発明が解決しようとする課題】
【０００７】
前述したように、鳩目穴かがりミシンで、ズボンに形成した左ピスポケットの開口部の下側の布片部分に、鳩目穴かがり縫目を縫製するような場合、鳩目穴かがり縫目を縫製しない上側布片部分を規制するようになっていないため、両布押えで上側布片部分を挟み込まないように、また鳩目穴かがり縫目の縫製中においては上側布片部分を縫い込まないように、更に鳩目穴かがり縫目の縫製が終了して鳩目穴の穿孔に際して送り台が後方に移動する場合にも、オペレータは、上側布片部分を可能な限り、十分に手前に引っ張らなければならず、鳩目穴かがり縫目の縫製作業が複雑化すること、そのために作業性が悪いこと、等の問題がある。
【課題を解決するための手段】
【０００８】
請求項１の鳩目穴かがりミシンは、布押えにより送り台上に押えられた縫製対象物に縫針とルーパーとで鳩目穴かがり縫目を縫製する鳩目穴かがりミシンにおいて、縫製対象物に形成された開口部の一方側布片部分に鳩目穴かがり縫目を縫製するに際して、開口部の他方側布片部分が送り台上に押えられた一方側布片部分の縫目形成領域に接近しないように規制する布片規制部材を設けたものである。
【０００９】
縫製対象物に形成された開口部の一方側布片部分に鳩目穴かがり縫目を縫製する場合には、鳩目穴かがり縫目を縫製しない開口部の他方側布片部分が布片規制部材により規制されるため、他方側布片部分が、送り台上に載置して布押えにより押えられた一方側布片部分の縫目形成領域に接近するようなことはない。
【００１０】
ここで、１対の前記布片規制部材が、左右１対の布押えに夫々着脱可能に設けられた場合（請求項１に従属の請求項２）には、布片規制部材が必要なときにだけ装着でき、不要な場合には簡単に取り外すことができる。
【００１１】
ここで、前記左右１対の布片規制部材の間に、送り台の移動に伴って縫針の通過を許容する隙間が設けられている場合（請求項２に従属の請求項３）には、左右１対の布押えが上昇位置に切換えられて、左右１対の布片規制部材が上昇している状態で、送り台が移動した場合であっても、縫針がこれら１対の布片規制部材の間に設けられた隙間を通過することで、縫針と布片規制部材とが衝突することがない。
【００１２】
ここで、前記布片規制部材の後端部の枢支部が、布押えを布押えレバーの先端部に枢着する枢支軸に布押えと一体回動するように取付けられた場合（請求項１〜３の何れかに従属の請求項４）には、布押えを布押えレバーに枢着する枢支軸を有効活用できる。しかも布押えと布片規制部材の位置関係を常に保持しておけるため、他方側布片部分は布押えに対して確実に所定の位置になるように規制される。
【００１３】
ここで、前記布片規制部材は、枢支部よりも前側において他方側布片部分を上下両側から規制する上側規制板部及び下側規制板部と、他方側布片部分の後端を位置規制する後端規制部を有する場合（請求項４に従属の請求項５）には、鳩目穴かがり縫目を形成しない他方側布片部分の上下両側を上側規制板部及び下側規制板部で規制するとともに、他方側布片部分の後端については後端規制部で位置規制される。
【００１４】
ここで、前記布片規制部材は１つの金属板から一体的に形成され、上側規制板部は下側規制板部よりも縫針側に設けられている場合（請求項５に従属の請求項６）には、布片規制部材を１つの金属板から一体的に作成できる。また、他方側布片部分の縫針側の部位が、縫針側に設けられた上側規制板部で位置規制されるため、他方側布片部分が縫針に接触するようなことはない。
【００１５】
ここで、前記下側規制板部の前端部は、上側規制板の前端よりも前方に所定長さ分突出している場合（請求項６に従属の請求項７）には、他方側布片部分の後端部を突出している下側規制板部の先端部に、上側規制板に邪魔されることなく載置できる。
【００１６】
請求項８の鳩目穴かがりミシンの布片規制具は、布押えにより送り台上に押えられた縫製対象物に縫針とルーパーとで鳩目穴かがり縫目を縫製する鳩目穴かがりミシンに設けられる布片規制具であって、製対象物に形成された開口部の一方側布片部分に鳩目穴かがり縫目を縫製するに際して、開口部の他方側布片部分が送り台上に押えられた一方側布片部分の縫目形成領域に接近しないように規制するものである。
【００１７】
この場合、布片規制具は、製対象物に形成された開口部の一方側布片部分に鳩目穴かがり縫目を縫製するに際して、開口部の他方側布片部分が送り台上に押えられた一方側布片部分の縫目形成領域に接近しないように規制するので、請求項１と同様に作用する。
【発明の効果】
【００１８】
請求項１の発明によれば、布押えにより送り台上に押えられた縫製対象物に縫針とルーパーとで鳩目穴かがり縫目を縫製する鳩目穴かがりミシンにおいて、縫製対象物に形成された開口部の一方側布片部分に鳩目穴かがり縫目を縫製するに際して、開口部の他方側布片部分が送り台に押えられた一方側布片部分の縫目形成領域に接近しないように規制する布片規制部材を設けたので、布片規制部材により規制された他方側布片部分の布押えによる挟み込みを防止できるだけでなく、縫針により他方側布片部分の縫い込みを確実に防止することができるため、縫製作業が簡単化し、そのために縫製作業の作業性を大幅に改善することができる。
【００１９】
請求項２の発明によれば、１対の前記布片規制部材が、左右１対の布押えに夫々着脱可能に設けられたので、布片規制部材を必要なときにだけ取付けでき、不必要で邪魔なときには取外しでき、縫製作業の作業能率を向上させることができる。その他請求項１と同様の効果を奏する。
【００２０】
請求項３の発明によれば、前記左右１対の布片規制部材の間に、送り台の移動に伴って縫針の通過を許容する隙間が設けられているので、送り台が移動するような場合であっても、縫針がこれら１対の布片規制部材の間に設けられた隙間を通過するため、縫針と布片規制部材とが衝突したりや干渉することがなく、縫製作業の安全性を高めることができる。その他請求項２と同様の効果を奏する。
【００２１】
請求項４の発明によれば、前記布片規制部材の後端部の枢支部が、布押えを布押えレバーの先端部に枢着する枢支軸に布押えと一体回動するように取付けられたので、布押えを布押えレバーに枢着する支持軸を有効に活用することができ、しかも、他方側布片部分の布押えに対する位置関係を確実化させることができる。その他請求項１〜３の何れかと同様の効果を奏する。
【００２２】
請求項５の発明によれば、前記布片規制部材は、枢支部よりも前側において他方側布片部分を上下両側から規制する上側規制板部及び下側規制板部と、他方側布片部分の後端を位置規制する後端規制部を有するので、鳩目穴かがり縫目を形成しない他方側布片部分の上下両側及びその後端において規制できるため、他方側布片部分の位置規制の確実性を向上させることができる。その他請求項４と同様の効果を奏する。
【００２３】
請求項６の発明によれば、前記布片規制部材は１つの金属板から一体的に形成され、上側規制板部は下側規制板部よりも縫針側に設けられているので、布片規制部材を１つの金属板から一体的に安価に且つ迅速に作成することができる。また、他方側布片部分の縫針側の部位を、縫針側に設けられた上側規制板部で位置規制できるようになり、他方側布片部分の縫針への接触を確実に防止でき、縫製品質が向上する。その他請求項５と同様の効果を奏する。
【００２４】
請求項７の発明によれば、前記下側規制板部の前端部は、上側規制板の前端よりも前方に所定長さ分突出しているので、他方側布片部分の後端部を突出している下側規制板部の先端部に、上側規制板に邪魔されることなく載置でき、他方側布片部分の布片規制部材へのセット作業が簡単化し、作業性が向上する。その他請求項６と同様の効果を奏する。
【００２５】
請求項８の発明によれば、布押えにより送り台上に押えられた縫製対象物に縫針とルーパーとで鳩目穴かがり縫目を縫製する鳩目穴かがりミシンに設けられる布片規制具であって、縫製対象物に形成された開口部の一方側布片部分に鳩目穴かがり縫目を縫製するに際して、開口部の他方側布片部分が送り台に押えられた一方側布片部分の縫目形成領域に接近しないように規制するので、請求項１と同様の効果を奏する。
【発明を実施するための最良の形態】
【００２６】
本実施形態の鳩目穴かがりミシンは、送り台に設けられた左右１対のクロスプレートに揺動自在に設けられた左右１対の布押えアームの先端部に、布押えと布片規制部材とが夫々一体的に回動可能に枢着され、その布片規制部材により、ピスポケットの鳩目穴かがり縫目を形成しない上側布片部分を規制するようにしてある。
【実施例】
【００２７】
ここで、先ず、この鳩目穴かがりミシン１により、背広のズボンに形成された左ピスポケットＰに鳩目穴かがり縫目ＤＮを縫製する上側布片部分Ｗｂ（ポケットに手を入れた際に開口部に対して人体側に相当する布片部分）と、鳩目穴かがり縫目ＤＮを縫製しない下側布片部分Ｗｃ（ポケットに手を入れた際に開口部に対して外側に相当する布片部分）とについて説明しておく。ここで、ピスポケットは、ヒップポケット（HIP POCKET) のことです。
【００２８】
図１０に示すように、背広のズボンの後身頃生地Ｗ（これが縫製対象物に相当する）の左側に左ピスポケットＰが既に形成されている。それ故、その左ピスポケットＰには玉縁縫いにより開口部Ｗａが形成されているため、その開口部Ｗａの上側の上側布片部分Ｗｂと、開口部Ｗａの下側の下側布片部分Ｗｃとが形成されている。そこで、下側布片部分Ｗｃの開口端部に近い部位に、ボタン用の鳩目穴かがり縫目ＤＮを縫製する。
【００２９】
図１に示すように、鳩目穴かがりミシン１は、略矩形箱状をなすベッド部２に、その後方部上部から前方に連続して延びるアーム部３を一体的に有して構成され、図示しないミシンテーブル上に載置されている。
【００３０】
このミシンテーブルには、針棒６やルーパー（図２、図３〜図４参照）等を同期駆動させる駆動機構の駆動源となるミシンモータ、複数種類の鳩目穴かがり用の基本データのうちから択一的に選択する操作パネル、足踏み式の起動・停止スイッチなどが設けられ、更に各機構の作動を制御するマイクロコンピュータからなる制御装置が設けられている。
【００３１】
アーム部３の先端下部には、縫針５を備えた針棒６（図３，図４参照）が上下動可能に設けられ、詳しく図示はしないが、ミシンモータの駆動により回転する主軸７の回転力がカム機構に伝達され、所定幅分だけ左右に揺動しながら上下駆動されるようになっている。この場合、主軸７の１回転により、針棒６は左側揺動位置と右側揺動位置とに２回上下動するようになっている。
【００３２】
また、ベッド部２には、針棒６に対向するように２個のルーパー８ａを備えたルーパー土台８が設けられ、これら２個のルーパー８ａは図示しないカム機構を介して主軸７の回転により、針棒６の上下動と調時して駆動されるようになっている。また、針棒６及びルーパー土台８はベッド部２内に設けられたステッピングモータからなるθ方向駆動モータ及びギヤ機構からなる回動機構により、夫々水平面において、鉛直軸周りに一体的に回動するようになっている。
【００３３】
ベッド部２には、図２に示すように、ルーパー土台８の後方側に位置して固定配置された鳩目穴を形成する為のメス１０が取付け台１１にボルトにより着脱可能に取付けられるとともに、このメス１０に対して上方より接離する打ち抜き用ハンマー本体１２が揺動可能に設けられている。このハンマー本体１２の先端部には、鳩目穴用のハンマー１３が着脱可能に取付けられ、ベッド部２内に設けられたエアシリンダなどからなるハンマー駆動機構により駆動され、メス１０の協働により、略円形状の鳩目穴部とこれに連なる直線状の足部とからなる鳩目穴１０ａを加工布に穿孔するようになっている。
【００３４】
ベッド部２の上面部には、加工布がセットされる送り台１５が設けられている。この送り台１５は、全体として薄形の矩形箱状をなし、ルーパー土台８及びメス１０に対向する部位が開放されている。また、この送り台１５の上面には、図２に示すように、金属製からなる左右１対のクロスプレート１６，１７が夫々設けられ、これら両クロスプレート１６，１７の略前半部分は、ガイド板１８で覆われている。
【００３５】
ベッド部２内には、この送り台１５を、ステッピングからなるＸ方向送りモータの駆動によりＸ方向（左右方向）に送り移動させるＸ方向移動機構（図示略）と、ステッピングモータからなるＹ方向送りモータの駆動によりＹ方向（前後方向）に送り移動させるＹ方向移動機構（図示略）とが設けられている。
【００３６】
次に、加工布を送り台１５の上面に保持する布押え２７，２８について説明する。
【００３７】
右側クロスプレート１６及び左側クロスプレート１７の後端部において、揺動レバー２０，２１の枢支部が左右方向向きの枢支軸２２により、枢支ブロック２３を介して夫々揺動可能に枢着されている。その揺動レバー２０，２１の上端部に布押えレバー２４，２５の後端部が夫々ボルトにより固定され、布押えレバー２４，２５の前端部に布押え２７，２８の前後方向中央部が枢支ボルト２６により夫々回動可能に枢着されている。
【００３８】
ところで、図２〜図４に示すように、両布押え２７，２８の外側には、布ガイド板３０，３１が夫々配置され、それに前後方向に長く形成された切欠き穴３０ａ，３１ａを介して、前後方向位置調節可能にボルト３２で支持されている。これら布ガイド板３０，３１の後端部分が上向きに折り曲げ形成されて、下側布片部分Ｗｃの後端を当接させて前後方向位置を位置決めする後端位置規制部３０ｂ，３１ｂが夫々形成されている。それ故、これら布ガイド板３０，３１の前後方向の取付け位置を調節することで、鳩目穴かがり縫目ＤＮを縫製する布端からの縫製位置を微調節することができる。
【００３９】
図３、図４に示すように、揺動レバー２０，２１の下端部は、Ｕ字状に曲げ形成された連結部２０ａ，２１ａが夫々形成されている。一方、左右方向向きの連結軸３４の外側にクランプレバー３５，３６の上端部が夫々固着されるとともに、連結軸３４の内側には押え駆動レバー３７，３８の後端部が夫々固着されている。但し、これらクランプレバー３５，３６と押え駆動レバー３７，３８とは約８０°に相当する位相差が設けられている。そこで、各押え駆動レバー３７，３８の前端部が対応する連結部２０ａ，２１ａに夫々連結されている。
【００４０】
右側クロスプレート１６の右側と、左側クロスプレート１７の左側とに、押え用エアシリンダ３９，４０が夫々後向きに設けられ、各押え用エアシリンダ３９，４０の後端部が、送り台１５のフレームに支持された左右方向向きの枢支ピン４１に夫々上下揺動可能に枢着されている。各押え用エアシリンダ３９，４０から後方に延びるピストンロッド３９ａ，４０ａの後端部には、ブロック状の連結部材４２，４３が夫々固定され、その連結部材４２，４３の後端部に、クランプレバー３５，３６の下端部が枢支ピン４４により夫々回動可能に枢支されている。
【００４１】
各押え用エアシリンダ３９，４０のピストンロッド３９ａ，４０ａが退入状態では、図５に実線で示すように、クランプレバー３５，３６及び押え駆動レバー３７，３８を介して各揺動レバー２０，２１の上端部が夫々後方に移動するため、左右の布押え２７，２８は夫々上側の退避位置に上昇する。一方、各押え用エアシリンダ３９，４０のピストンロッド３９ａ，４０ａが進出状態では、図５に２点鎖線で示し、図３及び図４に実線で示すように、揺動レバー２０，２１の上端部が夫々前方に移動するため、左右の布押え２７，２８は夫々下方の押圧位置まで下降し、左右両側のクロスプレート１６，１７の上面を押圧する。
【００４２】
次に、前述した各布押え２７，２８と一体的に夫々取付けられた布片規制部材（これらが布片規制具に相当する）５０，５２について説明する。先ず、右側の布押え２７に設けられた右側布片規制部材５０について説明する。
【００４３】
図２〜図４、図６に示すように、この右側布片規制部材５０は、１つの金属板から一体的に構成され、曲げ形成されたものである。右側布片規制部材５０の後半部は縦板状の枢支部５０ａとして形成され、その枢支部５０ａにビス穴５０ｂが形成されている。
【００４４】
また、その水平状の前半部は左右方向２分割され、２分割された外側部分に、左ピスポケットＰの開口部Ｗａの上側布片部分Ｗｂ（図１０参照）を下側から規制する略水平状の下側規制板部５０ｃが形成され、２分割された内側部分、つまり縫針５側に、その上側布片部分Ｗｂの後端を位置規制する鉛直壁からなる後端規制部５０ｄと、その後端規制部５０ｄに連続する水平状の上側規制板部５０ｅであって、上側布片部分Ｗｂを上側から規制する上側規制板部５０ｅが形成されている。
【００４５】
この場合、後端規制部５０ｄは布押え２７の前端よりも前側に位置している。また、下側規制板部５０ｃの前端部は、上側規制板部５０ｅの前端よりも前方に所定長さ分突出している。右側布片規制部材５０は、このように構成されており、そのビス穴５０ｂを介して、枢支ボルト２６により布押え２７と一体回動するように取付けられている。
【００４６】
一方、左側の布押え２８に設けられた左側布片規制部材５２は、前述した右側布片規制部材５０と左右対象に構成されている。それ故、左側布片規制部材５２についても、下側規制板部５２ｃと、後端規制部５２ｄと、上側規制板部５２ｅとが１つの金属板から一体的に形成され、そのビス穴５２ｂを介して、枢支ボルト２６により布押え２８と一体回動するように取付けられている。この左側布片規制部材５２についても、その後端規制部５２ｄは布押え２８の前端よりも前側に位置している。
【００４７】
ここで、両布片規制部材５０，５２が布押え２７，２８と共に押圧位置に下降した状態では、図３、図４に示すように、両布片規制部材５０，５２は、縫製終了に際して最上位置に上昇した縫針５よりも下側に位置するように低い位置に設けられている。そのため、これら両布片規制部材５０，５２で規制された上側布片部分Ｗｂが前後に移動する場合に、上側布片部分Ｗｂが縫針５に引っ掛かることがなく、上側布片部分Ｗｂの縫針５による破損を確実に防止できる。
【００４８】
ところで、これら両布片規制部材５０，５２の間、つまり縫針５側に形成された上側規制板部５０ｅ，５２ｅの間に、縫針５が十分に通過し得るだけの左右寸法を有する隙間Ｓが設けられており、両布押え２７，２８が上昇位置に切換えられて、左右１対の布片規制部材５０，５２が上昇している状態で、送り台１５が前後方向に移動した場合であっても、縫針がこれら１対の布片規制部材の間に設けられた隙間Ｓを通過できるようになっている。
【００４９】
次に、このように構成された左右両側に設けられた布片規制部材５０，５２の作用及び効果について説明する。
【００５０】
鳩目穴１０ａかがり縫目ＤＮの縫製に際して、送り台１５は図１に２点鎖線で示す前方の縫製位置に移動され、図７に示すように、各押え用エアシリンダ３９，４０のピストンロッド３９ａ，４０ａが退入状態に切り換えられ、前述したように、左右の布押え２７，２８は夫々上側の退避位置に上昇している。このとき、左右の布押え２７，２８間には、図８に２点鎖線で示すように、送り台１５上に押えられた下側布片部分Ｗｃの縫目形成領域ＨＥが形成され、縫針５はその縫目形成領域ＨＥの縫製開始位置に位置している。
【００５１】
縫製開始準備が完了した状態において、図７、図８に示すように、オペレータは先ず、左ピスポケットＰの鳩目穴かがり縫目ＤＮを縫製する下側布片部分Ｗｃの内側を上向きにした状態で、その開口端部側を後方向きにし、左右両手で、鳩目穴かがり縫目ＤＮを縫製しない上側布片部分Ｗｂの開口端部側を左右方向に引っ張りながら水平状に把持し、左右両側の布片規制部材５０，５２の下側規制板部５０ｃ，５２ｃの前端部分に、夫々上側から載置し、その状態で後端規制部５０ｄ，５２ｄまで十分に移動させる。
【００５２】
このように、下側規制板部５０ｃ，５２ｃの前端部は、上側規制板部５０ｅ，５２ｅの前端よりも前方に所定長さ分突出しているため、上側布片部分Ｗｂの後端部を突出している下側規制板部５０ｃ，５２ｃの先端部に、上側規制板部５０ｅ，５２ｅに邪魔されることなく載置でき、上側布片部分Ｗｂの布片規制部材５０，５２へのセット作業が簡単化し、作業性が向上する。
【００５３】
次に、オペレータは、鳩目穴かがり縫目ＤＮを縫製する下側布片部分Ｗｃの内側を上向きにした状態で、開口部Ｗａを大きく広げながら、しかもその開口端部側を左右方向に引っ張りながら水平状に把持し、開口端部側から布押え２７，２８の下側に挿入させて、布ガイド板３０，３１の後端位置規制部３０ｂ，３１ｂまで後方に十分に移動させる。ここで、図７に示すように、上側布片部分Ｗｂと下側布片部分Ｗｃとは、ポケット用の薄い布Ｗｄでつながっている。そこで、この場合、下側規制板部５０ｃ，５２ｃを長くしてあるため、その薄い布Ｗｄの後方への折り返し部が布押え２７，２８の下側に入り込まないようになっている。
【００５４】
このとき、オペレータは、図示外の押え作動スイッチを足操作でＯＮ操作する。それ故、各押え用エアシリンダ３９，４０のピストンロッド３９ａ，４０ａが進出状態に切り換えられ、前述したように、左右の布押え２７，２８が夫々下方の押圧位置まで下降し、下側布片部分Ｗｃを十分に押圧する。
【００５５】
この場合、図８、図９に示すように、上側規制板部５０ｅ，５２ｅは下側規制板部５０ｃ，５２ｃよりも縫針５側（内側）に設けられているため、上側布片部分Ｗｂの縫針５近傍部を、これら上側規制板部５０ｅ，５２ｅにより縫針５に引っ掛からないように確実に規制することができる。そして、最終的に足踏み式の起動・停止スイッチが操作され、予め選択しておいた鳩目穴かがり縫いの縫製データに基づいて、図１０に示すように、鳩目穴かがり縫目ＤＮが下側布片部分Ｗｃの所定の縫製位置に縫製される。
【００５６】
このように、鳩目穴かがり縫目ＤＮの縫製時には、上側布片部分Ｗｂは、後端規制部５０ｄ，５２ｄでその後端移動位置が規制されるとともに、これら上下両規制板部５０ｃ，５０ｅ，５２ｃ，５２ｅにより規制されているため、オペレータは手で上側布片部分Ｗｂを手前側に逃がすように引っ張る煩わしい作業を何ら必要とすることなく、上側布片部分Ｗｂが送り台１５上に押えられた下側布片部分Ｗｃの縫目形成領域ＨＥに接近しないように、両布片規制部材５０，５２で確実に規制できるため、上側布片部分Ｗｂの位置規制の確実性を向上させることができる。
【００５７】
それ故、両布片規制部材５０，５２により規制された他方側布片部分の布押えによる挟み込みを防止できるだけでなく、縫針により他方側布片部分の縫い込みを確実に防止することができるため、縫製作業が簡単化し、そのために縫製作業の作業性を大幅に改善することができる。
【００５８】
更に、下側布片部分Ｗｃに鳩目穴かがり縫目ＤＮが縫製された後、左右両布押え２７，２８により上側布片部分Ｗｂを押圧状態で送り台１５が、縫製位置ＳＰから約６０〜７０mm後方の打ち抜き位置ＰＰ（図８参照）まで移動した場合であっても、上側布片部分Ｗｂは左右両側の布片規制部材５０，５２で規制された状態であるため、後方への移動に際して、縫針５が上側布片部分Ｗｂに接触することなく移動でき、しかも、打ち抜き位置ＰＰに移動したときでも、上側布片部分Ｗｂは、鳩目穴かがり縫目ＤＮが縫製された下側布片部分Ｗｃの打ち抜き領域に接近するようなことがない。
【００５９】
このように、オペレータは、上側布片部分Ｗｂを縫製位置から後方の打ち抜き位置ＰＰへの移動に際して、またハンマー１３による鳩目穴１０ａの穿孔時に際しても、オペレータは手で上側布片部分Ｗｂを手前側に逃がすように引っ張る煩わしい作業を何ら必要とすることなく、上側布片部分Ｗｂが、下側布片部分Ｗｃの打ち抜き領域に接近しないように、両布片規制部材５０，５２で確実に規制しておくことができる。
【００６０】
また、１対の布片規制部材５０，５２が、左右１対の布押え２７，２８に夫々着脱可能に設けられたので、これら布片規制部材５０，５２を必要なときにだけ取付けでき、不必要で邪魔なときには取外しでき、縫製作業の作業能率を向上させることができる。
【００６１】
また、左右１対の布片規制部材５０，５２の間に、送り台１５の移動に伴って縫針５の通過を許容する隙間Ｓが設けられているので、送り台１５が前後方向に移動するような場合であっても、縫針５がこれら布片規制部材５０，５２の間に設けられた隙間Ｓを通過するため、縫針５と布片規制部材５０，５２とが衝突したりや干渉することがなく、縫製作業の安全性を高めることができる。
【００６２】
また、布片規制部材５０，５２の後端部の枢支部５０ａ，５２ａが、布押え２７，２８を布押えレバー２４，２５の先端部に枢着する枢支軸２６に布押え２７，２８と一体回動するように取付けられたので、布押え２７，２８を布押えレバー２４，２５に枢着する支持軸２６を有効に活用することができ、しかも、上側布片部分Ｗｂの布押えに対する位置関係を確実化させることができる。
【００６３】
次に、前記実施形態を部分的に変更した変更形態について説明する。
【００６４】
１〕左右両布片規制部材５０，５２は、その上側規制板部５０ｅ，５２ｅと後端規制部５０ｄ，５２ｄと下側規制板部５０ｃ，５２ｃとを、側面視にて横向きのＵ字状に構成したり、後端規制部５０ｄ，５２ｄを省略して、上側規制板部５０ｅ，５２ｅと下側規制板部５０ｃ，５２ｃとで横向きのＶ字状に構成するようにしてもよい。
【００６５】
２〕左右両布片規制部材５０，５２は、２分割以外に、３分割以上の分割数に分割するようにしてもよい。
【００６６】
３〕左右両布片規制部材５０，５２は、これら上側規制板部５０ｅ，５２ｅと後端規制部５０ｄ，５２ｄと下側規制板部５０ｃ，５２ｃのうち、少なくとも１つ以上を別体で構成するようにしてもよい。
【００６７】
４〕左右両布片規制部材５０，５２を、布押え２７，２８に直接固定するようにしてもよい。
【００６８】
５〕左右両布片規制部材５０，５２は、合成樹脂、アクリル板等、金属以外の材料で構成するようにしてもよい。また、透明な材料により構成するようにしてもよい。
【００６９】
６〕左右両布片規制部材５０，５２の下側規制板部５０ｃ，５２ｃを、上側規制板部５０ｅ，５２ｅに対して縫針５側に設けるようにしてもよい。
【００７０】
７〕左右両布片規制部材５０，５２の上側規制板部５０ｅ，５２ｅと後端規制部５０ｄ，５２ｄとを相互に当接（押圧）するように弾性付勢するようにし、これら上側規制板部５０ｅ，５２ｅと後端規制部５０ｄ，５２ｄの間に挿入させた下側布片部分Ｗｃを弾性的に挟持させるように構成してもよい。
【００７１】
８〕左右両布片規制部材５０，５２に上側布片部分Ｗｂがセットされているか否かを検出する布片検出センサを設け、縫製開始に際して、上側布片部分Ｗｂが所定の位置にセットされていなければ、その旨を報知したり、縫製作業を禁止するようにしてもよい。
【００７２】
９〕前記実施形態に関し、既存の技術や当業者に自明の技術に基いて種々の変更を加えることもあり得る。
【００７３】
１０〕本案は、ルーパーを有する各種の鳩目穴かがり縫目を縫製する種々の鳩目穴かがりミシンに本発明を適用し得ることは勿論である。
【図面の簡単な説明】
【００７４】
【図１】本発明の実施形態に係る鳩目穴かがりミシンの斜視図である。
【図２】送り台の平面図である。
【図３】鳩目穴かがりミシンの一部縦断部分右側面図である。
【図４】鳩目穴かがりミシンの一部縦断部分左側面図である。
【図５】送り台の一部縦断部分右側面図である。
【図６】布片規制部材の斜視図である。
【図７】ピスポケットを有する身頃生地をセットした図５相当図である。
【図８】ピスポケットを有する身頃生地をセットした図２相当図である。
【図９】ピスポケットを有する身頃生地をセットした図７相当図である。
【図１０】ピスポケットを有する身頃生地の平面図である。
【符号の説明】
【００７５】
１      鳩目穴かがりミシン
５      縫針
１５    送り台
２４    布押えレバー
２５    布押えレバー
２６    枢支軸
２７    布押え
２８    布押え
５０    布片規制部材
５０ａ  枢支部
５０ｃ  下側規制板部
５０ｄ  後端規制部
５０ｅ  上側規制板部
５２    布片規制部材
５２ａ  枢支部
５２ｃ  下側規制板部
５２ｄ  後端規制部
５２ｅ  上側規制板部
ＤＮ    鳩目穴かがり縫目
Ｈ      縫目形成領域
Ｗ      ズボンの後身頃生地
Ｗａ    開口部
Ｗｂ    上側布片部分
Ｗｃ    下側布片部分
【図１】
2005118244.tif 000003
【図２】
2005118244.tif 000004
【図３】
2005118244.tif 000005
【図４】
2005118244.tif 000006
【図５】
2005118244.tif 000007
【図６】
2005118244.tif 000008
【図７】
2005118244.tif 000009
【図８】
2005118244.tif 000010
【図９】
2005118244.tif 000011
【図１０】
2005118244.tif 000012